(57)【要約】【課題】操作パネルへの画面表示を自動的に切り替えることにより、利用者の拡張機能利用時の操作性の向上を図ること。【解決手段】複合機１００において、利用者に操作入力を行わせるとともに画面表示を行う操作パネル１５０と、画像をスキャンして入力するスキャンアプリケーション１０２と、電子透かし機能を実現する着脱可能な拡張ボード１２０が搭載されているか否かを判断する拡張ボード認識部１０６と、拡張ボード認識部１０６によって拡張ボード１２０が搭載されていると判断された場合に、電子透かし機能に関する表示を操作パネル１５０に出力する操作パネル制御部１０５と、を備えた。【選択図】        図１
2006014082.tif 000002
【特許請求の範囲】
【請求項１】
画像形成に関する処理を行う画像形成装置であって、
利用者に操作入力を行わせるとともに画面表示を行う操作パネルと、
所定の拡張機能を実現する着脱可能な拡張基板が搭載されているか否かを判断する拡張基板認識手段と、
前記拡張基板認識手段によって拡張基板が搭載されていると判断された場合に、拡張機能に関する表示を前記操作パネルに出力する操作パネル制御手段と、
を備えたことを特徴とする画像形成装置。
【請求項２】
前記拡張基板認識手段は、画像形成処理を実行する際に、拡張機能を実現する着脱可能な拡張基板が搭載されているか否かを判断し、
前記操作パネル制御手段は、画像形成処理に関する画面を前記操作パネルに表示する際に、前記拡張基板認識手段によって拡張基板が搭載されていると判断された場合に、前記拡張機能に関する表示を前記操作パネルに出力することを特徴とする請求項１に記載の画像形成装置。
【請求項３】
前記拡張基板認識手段は、初期設定の処理時に、拡張機能を実現する着脱可能な拡張基板が搭載されているか否かを判断し、
前記操作パネル制御手段は、初期設定に関する画面を前記操作パネルに表示する際に、前記拡張基板認識手段によって拡張基板が搭載されていると判断された場合に、前記拡張機能に関する表示を前記操作パネルに出力することを特徴とする請求項１に記載の画像形成装置。
【請求項４】
予め利用者に拡張機能の使用の可否を示す拡張機能許可情報を設定する拡張機能処理手段を更に備え、
前記操作パネル制御手段は、前記拡張基板認識手段によって拡張基板が搭載されていると判断された場合であって、かつ前記拡張機能許可情報に前記拡張機能を使用する旨が設定されている場合に、拡張機能に関する表示を前記操作パネルに出力することを特徴とする請求項１〜３のいずれか一つに記載の画像形成装置。
【請求項５】
前記拡張機能処理手段は、前記拡張機能許可情報を、初期設定時に設定することを特徴とする請求項４に記載の画像形成装置。
【請求項６】
前記拡張機能処理手段は、前記拡張機能許可情報を、画像形成処理の実行時に設定することを特徴とする請求項４または５に記載の画像形成装置。
【請求項７】
入力された画像をネットワークを介して配信する配信先と、前記拡張機能可否情報とを対応付けた配信先情報を記憶する配信先記憶手段を更に備え、
前記操作パネル制御手段は、利用者に前記配信先を指定させる配信設定画面を前記操作パネルに表示し、前記配信設定画面から指定された配信先に対応する前記配信先情報の前記拡張機能可否情報に前記拡張機能を使用する旨が設定されている場合に、拡張機能の設定に関する表示を前記操作パネルに出力することを特徴とする請求項４〜６のいずれか一つに記載の画像形成装置。
【請求項８】
入力された画像に関する文書情報と前記拡張機能可否情報とを対応付けた文書蓄積情報と、前記文書情報とを記憶する文書蓄積手段を更に備え、
前記操作パネル制御手段は、利用者に前記文書蓄積手段に記憶された文書情報を指定させる蓄積文書指定画面を前記操作パネルに表示し、前記蓄積文書指定画面から指定された文書情報に対応する前記文書蓄積情報の前記拡張機能可否情報に前記拡張機能を使用する旨が設定されている場合に、拡張機能の設定に関する表示を前記操作パネルに出力することを特徴とする請求項４〜７のいずれか一つに記載の画像形成装置。
【請求項９】
前記操作パネル制御手段は、利用者に前記拡張機能に関する拡張機能画面を前記操作パネルに表示する際に、前記拡張機能に関する項目を、前記利用者の権限によって、異なる表示態様で前記操作パネルに出力することを特徴とする請求項１〜８のいずれか一つに記載の画像形成装置。
【請求項１０】
前記操作パネル制御手段は、利用者に前記拡張機能に関する拡張機能画面を前記操作パネルに表示する際に、前記拡張機能に関する項目を、前記利用者の権限によって、参照不可能な表示態様で前記操作パネルに出力することを特徴とする請求項９に記載の画像形成装置。
【請求項１１】
前記操作パネル制御手段は、利用者に前記拡張機能に関する拡張機能画面を前記操作パネルに表示する際に、前記拡張機能に関する入力項目を、前記利用者の権限によって入力可否を区別した態様で前記操作パネルに出力することを特徴とする請求項９または１０に記載の画像形成装置。
【請求項１２】
前記拡張基板認識手段は、前記拡張機能として画像に透かし情報を埋め込む電子透かし処理を実現する着脱可能な拡張基板が搭載されているか否かを判断し、
前記操作パネル制御手段は、前記拡張基板認識手段によって拡張基板が搭載されていると判断された場合に、前記電子透かし処理に関する表示を前記操作パネルに出力することを特徴とする請求項１〜１１のいずれか一つに記載の画像形成装置。
【請求項１３】
所定の拡張機能を実現する着脱可能な拡張基板が搭載されているか否かを判断する拡張基板認識ステップと、
前記拡張基板認識ステップによって拡張基板が搭載されていると判断された場合に、拡張機能に関する表示を、利用者に操作入力を行わせるとともに画面表示を行う操作パネルに出力する操作パネル制御ステップと、
を含むことを特徴とする操作パネル制御方法。
【請求項１４】
予め利用者に前記拡張機能の使用の可否を示す拡張機能許可情報を設定する拡張機能処理ステップを更に含み、
前記操作パネル制御ステップは、前記拡張基板認識ステップによって拡張基板が搭載されていると判断された場合であって、かつ前記拡張機能許可情報に前記拡張機能を使用する旨が設定されている場合に、拡張機能に関する表示を前記操作パネルに出力することを特徴とする請求項１３に記載の操作パネル制御方法。
【請求項１５】
前記操作パネル制御ステップは、入力された画像をネットワークを介して配信する配信先を利用者に指定させる配信設定画面を前記操作パネルに表示し、前記配信設定画面から指定された配信先に対応する、前記配信先と前記拡張機能可否情報とを対応付けた配信先情報の前記拡張機能可否情報に前記拡張機能を使用する旨が設定されている場合に、拡張機能の設定に関する表示を前記操作パネルに出力することを特徴とする請求項１４に記載の操作パネル制御方法。
【請求項１６】
前記操作パネル制御ステップは、利用者に文書蓄積手段に記憶された文書情報を指定させる蓄積文書指定画面を前記操作パネルに表示し、前記蓄積文書指定画面から指定された文書情報に対応する、入力された画像に関する文書情報と前記拡張機能可否情報とを対応付けた蓄積情報の前記拡張機能可否情報に前記拡張機能を使用する旨が設定されている場合に、拡張機能の設定に関する表示を前記操作パネルに出力することを特徴とする請求項１４または１５に記載の操作パネル制御方法。
【請求項１７】
前記操作パネル制御ステップは、利用者に前記拡張機能に関する拡張機能画面を前記操作パネルに表示する際に、前記拡張機能に関する項目を、前記利用者の権限によって、異なる表示態様で前記操作パネルに出力することを特徴とする請求項１３〜１６のいずれか一つに記載の操作パネル制御方法。
【請求項１８】
前記操作パネル制御ステップは、利用者に前記拡張機能に関する拡張機能画面を前記操作パネルに表示する際に、前記拡張機能に関する項目を、前記利用者の権限によって、参照不可能な表示態様で前記操作パネルに出力することを特徴とする請求項１７に記載の操作パネル制御方法。
【請求項１９】
前記操作パネル制御ステップは、利用者に前記拡張機能に関する拡張機能画面を前記操作パネルに表示する際に、前記拡張機能に関する入力項目を、前記利用者の権限によって入力可否を区別した態様で前記操作パネルに出力することを特徴とする請求項１７または１８に記載の操作パネル制御方法。
【請求項２０】
前記拡張基板認識ステップは、前記拡張機能として画像に透かし情報を埋め込む電子透かし処理を実現する着脱可能な拡張基板が搭載されているか否かを判断し、
前記操作パネル制御ステップは、前記拡張基板認識ステップによって拡張基板が搭載されていると判断された場合に、前記電子透かし処理に関する表示を前記操作パネルに出力することを特徴とする請求項１３〜１９のいずれか一つに記載の操作パネル制御方法。
【請求項２１】
請求項１３〜２０のいずれか一つに記載の方法をコンピュータに実行させるプログラム。
【発明の詳細な説明】
【技術分野】
【０００１】
本発明は、画像形成にかかる処理を行う画像形成装置、操作パネル制御方法およびその方法をコンピュータに実行させるプログラムに関するものであり、特に操作パネルへの画面表示制御に関する。
【背景技術】
【０００２】
従来からスキャンなどにより入力された画像に透かし情報を埋め込むという電子透かし処理を行って、入力画像のセキュリティ強化を図る画像処理装置や画像形成装置が一般的に知られている。
【０００３】
例えば、特許文献１の技術では、画像処理装置において、画像データの局所領域の画素パターンの出現頻度に基づいて、複数の画素パターンをビット１またはビット０に対応づけたテーブルを作成しておき、このテーブルを用いて画像データの埋め込み情報の埋め込みおよび埋め込み情報の復元を行っている。
【０００４】
【特許文献１】特開２０００−１１５５１８号公報
【発明の開示】
【発明が解決しようとする課題】
【０００５】
このような電子透かし機能などの拡張機能は、スキャン処理やコピー処理などの基本機能を拡張したものである。このため、拡張ボードに搭載されるＲＯＭに拡張機能の処理プログラムを組み込み、拡張機能を使用する際には、このような拡張ボードを画像処理装置に装着して使用する場合がある。
【０００６】
このような画像処理装置の場合、電子透かし処理などのセキュリティ機能等の拡張機能は、オプション的な拡張ボードで提供されることになるため、スキャン処理やコピー処理などの基本機能だけを利用する場合と、電子透かしなどの拡張機能をも利用する場合とで、操作パネルへの各処理の画面表示が同じものであると、利用者は拡張機能が現在搭載されているか否かを判断することができず、混乱を招いてしまうという問題がある。
【０００７】
本発明は、上記に鑑みてなされたものであって、拡張機能が搭載されているか否かを自動的に判断し、操作パネルへの画面表示を自動的に切り替えることにより、利用者の拡張機能利用時の操作性の向上を図ることができる画像形成装置、操作パネル制御方法およびその方法をコンピュータに実行させるプログラムを提供することを目的とする。
【課題を解決するための手段】
【０００８】
上述した課題を解決し、目的を達成するために、請求項１にかかる発明は、画像形成に関する処理を行う画像形成装置であって、利用者に操作入力を行わせるとともに画面表示を行う操作パネルと、拡張機能を実現する着脱可能な拡張基板が搭載されているか否かを判断する拡張基板認識手段と、前記拡張基板認識手段によって拡張基板が搭載されていると判断された場合に、拡張機能に関する表示を前記操作パネルに出力する操作パネル制御手段と、を備えたことを特徴とする画像形成装置である。
【０００９】
また、請求項２にかかる発明は、請求項１に記載の画像形成装置において、前記拡張基板認識手段は、画像形成処理を実行する際に、拡張機能を実現する着脱可能な拡張基板が搭載されているか否かを判断し、前記操作パネル制御手段は、画像形成処理に関する画面を前記操作パネルに表示する際に、前記拡張基板認識手段によって拡張基板が搭載されていると判断された場合に、前記拡張機能に関する表示を前記操作パネルに出力することを特徴とする。
【００１０】
また、請求項３にかかる発明は、請求項１に記載の画像形成装置において、前記拡張基板認識手段は、初期設定の処理時に、拡張機能を実現する着脱可能な拡張基板が搭載されているか否かを判断し、前記操作パネル制御手段は、初期設定に関する画面を前記操作パネルに表示する際に、前記拡張基板認識手段によって拡張基板が搭載されていると判断された場合に、前記拡張機能に関する表示を前記操作パネルに出力することを特徴とする。
【００１１】
また、請求項４にかかる発明は、請求項１〜３のいずれか一つに記載の画像形成装置において、予め利用者に拡張機能の使用の可否を示す拡張機能許可情報を設定する拡張機能処理手段を更に備え、前記操作パネル制御手段は、前記拡張基板認識手段によって拡張基板が搭載されていると判断された場合であって、かつ前記拡張機能許可情報に前記拡張機能を使用する旨が設定されている場合に、拡張機能に関する表示を前記操作パネルに出力することを特徴とする。
【００１２】
また、請求項５にかかる発明は、請求項４に記載の画像形成装置において、前記拡張機能処理手段は、前記拡張機能許可情報を、初期設定時に設定することを特徴とする。
【００１３】
また、請求項６にかかる発明は、請求項４または５に記載の画像形成装置において、前記拡張機能処理手段は、前記拡張機能許可情報を、画像形成処理の実行時に設定することを特徴とする。
【００１４】
また、請求項７にかかる発明は、請求項４〜６のいずれか一つに記載の画像形成装置において、入力された画像をネットワークを介して配信する配信先と、前記拡張機能可否情報とを対応付けた配信先情報を記憶する配信先記憶手段を更に備え、前記操作パネル制御手段は、利用者に前記配信先を指定させる配信設定画面を前記操作パネルに表示し、前記配信設定画面から指定された配信先に対応する前記配信先情報の前記拡張機能可否情報に前記拡張機能を使用する旨が設定されている場合に、拡張機能の設定に関する表示を前記操作パネルに出力することを特徴とする。
【００１５】
また、請求項８にかかる発明は、請求項４〜７のいずれか一つに記載の画像形成装置において、入力された画像に関する文書情報と前記拡張機能可否情報とを対応付けた文書蓄積情報と、前記文書情報とを記憶する文書蓄積手段を更に備え、前記操作パネル制御手段は、利用者に前記文書蓄積手段に記憶された文書情報を指定させる蓄積文書指定画面を前記操作パネルに表示し、前記蓄積文書指定画面から指定された文書情報に対応する前記文書蓄積情報の前記拡張機能可否情報に前記拡張機能を使用する旨が設定されている場合に、拡張機能の設定に関する表示を前記操作パネルに出力することを特徴とする。
【００１６】
また、請求項９にかかる発明は、請求項１〜８のいずれか一つに記載の画像形成装置において、前記操作パネル制御手段は、利用者に前記拡張機能に関する拡張機能画面を前記操作パネルに表示する際に、前記拡張機能に関する項目を、前記利用者の権限によって、異なる表示態様で前記操作パネルに出力することを特徴とする。
【００１７】
また、請求項１０にかかる発明は、請求項９に記載の画像形成装置において、前記操作パネル制御手段は、利用者に前記拡張機能に関する拡張機能画面を前記操作パネルに表示する際に、前記拡張機能に関する項目を、前記利用者の権限によって、参照不可能な表示態様で前記操作パネルに出力することを特徴とする。
【００１８】
また、請求項１１にかかる発明は、請求項９または１０に記載の画像形成装置において、前記操作パネル制御手段は、利用者に前記拡張機能に関する拡張機能画面を前記操作パネルに表示する際に、前記拡張機能に関する入力項目を、前記利用者の権限によって入力可否を区別した態様で前記操作パネルに出力することを特徴とする。
【００１９】
また、請求項１２にかかる発明は、請求項１〜１１のいずれか一つに記載の画像形成装置において、前記拡張基板認識手段は、前記拡張機能として画像に透かし情報を埋め込む電子透かし処理を実現する着脱可能な拡張基板が搭載されているか否かを判断し、前記操作パネル制御手段は、前記拡張基板認識手段によって拡張基板が搭載されていると判断された場合に、前記電子透かし処理に関する表示を前記操作パネルに出力することを特徴とする。
【００２０】
また、請求項１３にかかる発明は、拡張機能を実現する着脱可能な拡張基板が搭載されているか否かを判断する拡張基板認識ステップと、前記拡張基板認識ステップによって拡張基板が搭載されていると判断された場合に、拡張機能に関する表示を、利用者に操作入力を行わせるとともに画面表示を行う操作パネルに出力する操作パネル制御ステップと、を含むことを特徴とする操作パネル制御方法である。
【００２１】
また、請求項１４にかかる発明は、請求項１３に記載の操作パネル制御方法において、予め利用者に拡張機能の使用の可否を示す拡張機能許可情報を設定する拡張機能処理ステップを更に含み、前記操作パネル制御ステップは、前記拡張基板認識ステップによって拡張基板が搭載されていると判断された場合であって、かつ前記拡張機能許可情報に前記拡張機能を使用する旨が設定されている場合に、拡張機能に関する表示を前記操作パネルに出力することを特徴とする。
【００２２】
また、請求項１５にかかる発明は、請求項１４に記載の操作パネル制御方法において、前記操作パネル制御ステップは、入力された画像をネットワークを介して配信する配信先を利用者に指定させる配信設定画面を前記操作パネルに表示し、前記配信設定画面から指定された配信先に対応する、前記配信先と前記拡張機能可否情報とを対応付けた配信先情報の前記拡張機能可否情報に前記拡張機能を使用する旨が設定されている場合に、拡張機能の設定に関する表示を前記操作パネルに出力することを特徴とする。
【００２３】
また、請求項１６にかかる発明は、請求項１４または１５に記載の操作パネル制御方法において、前記操作パネル制御ステップは、利用者に文書蓄積手段に記憶された文書情報を指定させる蓄積文書指定画面を前記操作パネルに表示し、前記蓄積文書指定画面から指定された文書情報に対応する、前記入力された画像に関する文書情報と前記拡張機能可否情報とを対応付けた蓄積情報の前記拡張機能可否情報に前記拡張機能を使用する旨が設定されている場合に、拡張機能の設定に関する表示を前記操作パネルに出力することを特徴とする。
【００２４】
また、請求項１７にかかる発明は、請求項１３〜１６のいずれか一つに記載の操作パネル制御方法において、前記操作パネル制御ステップは、利用者に前記拡張機能に関する拡張機能画面を前記操作パネルに表示する際に、前記拡張機能に関する項目を、前記利用者の権限によって、異なる表示態様で前記操作パネルに出力することを特徴とする。
【００２５】
また、請求項１８にかかる発明は、請求項１７に記載の操作パネル制御方法において、前記操作パネル制御ステップは、利用者に前記拡張機能に関する拡張機能画面を前記操作パネルに表示する際に、前記拡張機能に関する項目を、前記利用者の権限によって、参照不可能な表示態様で前記操作パネルに出力することを特徴とする。
【００２６】
また、請求項１９にかかる発明は、請求項１７または１８に記載の操作パネル制御方法において、前記操作パネル制御ステップは、利用者に前記拡張機能に関する拡張機能画面を前記操作パネルに表示する際に、前記拡張機能に関する入力項目を、前記利用者の権限によって入力可否を区別した態様で前記操作パネルに出力することを特徴とする。
【００２７】
また、請求項２０にかかる発明は、請求項１３〜１９のいずれか一つに記載の操作パネル制御方法において、前記記拡張基板認識ステップは、前記拡張機能として画像に透かし情報を埋め込む電子透かし処理を実現する着脱可能な拡張基板が搭載されているか否かを判断し、前記操作パネル制御ステップは、前記拡張基板認識ステップによって拡張基板が搭載されていると判断された場合に、前記電子透かし処理に関する表示を前記操作パネルに出力することを特徴とする。
【００２８】
また、請求項２１にかかる発明は、請求項１３〜２０のいずれか一つに記載の方法をコンピュータに実行させるプログラムである。
【発明の効果】
【００２９】
請求項１にかかる発明によれば、拡張機能を実現する着脱可能な拡張基板が搭載されているか否かを判断し、拡張基板が搭載されていると判断された場合に、拡張機能に関する表示を操作パネルに出力することで、拡張機能が搭載されているか否かを自動的に判断することができ、操作パネルへの画面表示を自動的に切り替えることにより、利用者の拡張機能利用時の操作性の向上を図ることができるという効果を奏する。
【００３０】
また、請求項２にかかる発明によれば、画像形成処理を実行する際に、拡張機能を実現する着脱可能な拡張基板が搭載されているか否かを判断し、画像形成処理に関する画面を操作パネルに表示する際に、拡張基板が搭載されていると判断された場合に、拡張機能に関する表示を操作パネルに出力することで、拡張機能が搭載されているか否かを画像形成処理の段階で自動的に判断することができ、画像形成処理時に操作パネルへの画面表示を自動的に切り替えることにより、利用者の拡張機能利用時の操作性の向上を図ることができるという効果を奏する。
【００３１】
また、請求項３にかかる発明によれば、初期設定の処理時に、拡張機能を実現する着脱可能な拡張基板が搭載されているか否かを判断し、初期設定に関する画面を操作パネルに表示する際に、拡張基板が搭載されていると判断された場合に、拡張機能に関する表示を前記操作パネルに出力することで、拡張機能が搭載されているか否かを初期設定処理の段階で自動的に判断することができ、初期設定処理時に操作パネルへの画面表示を自動的に切り替えることにより、利用者の拡張機能利用時の操作性の向上を図ることができるという効果を奏する。
【００３２】
また、請求項４にかかる発明によれば、拡張基板が搭載されていると判断された場合であって、かつ拡張機能許可情報に拡張機能を使用する旨が設定されている場合に、拡張機能に関する表示を操作パネルに出力することで、拡張基板が搭載されている場合でも、利用者が拡張機能を使用するか否かによって、操作パネルへの拡張機能に関する画面表示を自動的に切り替えることができ、利用者の拡張機能利用時の操作性の向上を図ることができるという効果を奏する。
【００３３】
また、請求項５にかかる発明によれば、拡張機能許可情報を、初期設定時に設定することで、拡張機能を使用するか否かを利用者が初期設定時に決定することができ、操作性の向上を図ることができるという効果を奏する。
【００３４】
また、請求項６にかかる発明によれば、拡張機能許可情報を、画像形成処理の実行時に設定することで、拡張機能を使用するか否かを利用者が初期設定後にも決定することができ、操作性のさらなる向上を図ることができるという効果を奏する。
【００３５】
また、請求項７にかかる発明によれば、利用者に配信先を指定させる配信設定画面を操作パネルに表示し、配信設定画面から指定された配信先に対応する配信先情報の拡張機能可否情報に拡張機能を使用する旨が設定されている場合に、拡張機能の設定に関する表示を操作パネルに出力することで、入力画像の配信先ごとに拡張機能を使用するか否かを変えることができ、拡張機能に多様性を持たせることができるという効果を奏する。
【００３６】
また、請求項８にかかる発明によれば、利用者に文書蓄積手段に記憶された文書情報を指定させる蓄積文書指定画面を前記操作パネルに表示し、蓄積文書指定画面から指定された文書情報に対応する文書蓄積情報の拡張機能可否情報に拡張機能を使用する旨が設定されている場合に、拡張機能の設定に関する表示を操作パネルに出力することで、蓄積された文書情報ごとに拡張機能を使用するか否かを変えることができ、拡張機能に多様性を持たせることができるという効果を奏する。
【００３７】
また、請求項９にかかる発明によれば、利用者に拡張機能に関する拡張機能画面を操作パネルに表示する際に、拡張機能に関する項目を、利用者の権限によって、異なる表示態様で前記操作パネルに出力することで、利用者の権限によって拡張機能の表示態様を変えることができ、拡張機能に多様性を持たせることができるという効果を奏する。
【００３８】
また、請求項１０にかかる発明によれば、利用者に拡張機能に関する拡張機能画面を操作パネルに表示する際に、拡張機能に関する項目を、利用者の権限によって、参照不可能な表示態様で操作パネルに出力することで、利用者の権限によって拡張機能の表示態様に参照不能にして拡張機能を使用していることだけを把握させることができ、拡張機能により多様性を持たせることができるという効果を奏する。
【００３９】
また、請求項１１にかかる発明によれば、利用者に拡張機能に関する拡張機能画面を操作パネルに表示する際に、拡張機能に関する入力項目を、利用者の権限によって入力可否を区別した態様で操作パネルに出力することで、利用者の権限によって拡張機能に関する項目に対する入力を可能と不可能に変化させて表示することができ、拡張機能により多様性を持たせることができるという効果を奏する。
【００４０】
また、請求項１２にかかる発明によれば、拡張機能として画像に透かし情報を埋め込む電子透かし処理を実現する着脱可能な拡張基板が搭載されているか否かを判断し、拡張基板が搭載されていると判断された場合に、電子透かし処理に関する表示を操作パネルに出力することで、電子透かし機能が搭載されているか否かを自動的に判断することができ、操作パネルへの画面表示を自動的に切り替えることにより、利用者の電子透かし機能利用時の操作性の向上を図ることができるという効果を奏する。
【００４１】
また、請求項１３にかかる発明によれば、拡張機能を実現する着脱可能な拡張基板が搭載されているか否かを判断し、拡張基板が搭載されていると判断された場合に、拡張機能に関する表示を操作パネルに出力することで、拡張機能が搭載されているか否かを自動的に判断することができ、操作パネルへの画面表示を自動的に切り替えることにより、利用者の拡張機能利用時の操作性の向上を図ることができるという効果を奏する。
【００４２】
また、請求項１４にかかる発明によれば、拡張基板が搭載されていると判断された場合であって、かつ拡張機能許可情報に拡張機能を使用する旨が設定されている場合に、拡張機能に関する表示を操作パネルに出力することで、拡張基板が搭載されている場合でも、利用者が拡張機能を使用するか否かによって、操作パネルへの拡張機能に関する画面表示を自動的に切り替えることができ、利用者の拡張機能利用時の操作性の向上を図ることができるという効果を奏する。
【００４３】
また、請求項１５にかかる発明によれば、利用者に配信先を指定させる配信設定画面を操作パネルに表示し、配信設定画面から指定された配信先に対応する配信先情報の拡張機能可否情報に拡張機能を使用する旨が設定されている場合に、拡張機能の設定に関する表示を操作パネルに出力することで、入力画像の配信先ごとに拡張機能を使用するか否かを変えることができ、拡張機能に多様性を持たせることができるという効果を奏する。
【００４４】
また、請求項１６にかかる発明によれば、利用者に文書蓄積手段に記憶された文書情報を指定させる蓄積文書指定画面を前記操作パネルに表示し、蓄積文書指定画面から指定された文書情報に対応する文書蓄積情報の拡張機能可否情報に拡張機能を使用する旨が設定されている場合に、拡張機能の設定に関する表示を操作パネルに出力することで、蓄積された文書情報ごとに拡張機能を使用するか否かを変えることができ、拡張機能に多様性を持たせることができるという効果を奏する。
【００４５】
また、請求項１７にかかる発明によれば、利用者に拡張機能に関する拡張機能画面を操作パネルに表示する際に、拡張機能に関する項目を、利用者の権限によって、異なる表示態様で前記操作パネルに出力することで、利用者の権限によって拡張機能の表示態様を変えることができ、拡張機能に多様性を持たせることができるという効果を奏する。
【００４６】
また、請求項１８にかかる発明によれば、利用者に拡張機能に関する拡張機能画面を操作パネルに表示する際に、拡張機能に関する項目を、利用者の権限によって、参照不可能な表示態様で操作パネルに出力することで、利用者の権限によって拡張機能の表示態様に参照不能にして拡張機能を使用していることだけを把握させることができ、拡張機能により多様性を持たせることができるという効果を奏する。
【００４７】
また、請求項１９にかかる発明は、利用者に拡張機能に関する拡張機能画面を操作パネルに表示する際に、拡張機能に関する入力項目を、利用者の権限によって入力可否を区別した態様で操作パネルに出力することで、利用者の権限によって拡張機能に関する項目に対する入力を可能と不可能に変化させて表示することができ、拡張機能により多様性を持たせることができるという効果を奏する。
【００４８】
また、請求項２０にかかる発明は、拡張機能として画像に透かし情報を埋め込む電子透かし処理を実現する着脱可能な拡張基板が搭載されているか否かを判断し、拡張基板が搭載されていると判断された場合に、電子透かし処理に関する表示を操作パネルに出力することで、電子透かし機能が搭載されているか否かを自動的に判断することができ、操作パネルへの画面表示を自動的に切り替えることにより、利用者の電子透かし機能利用時の操作性の向上を図ることができるという効果を奏する。
【００４９】
また、請求項２１にかかる発明は、請求項１３〜２０のいずれか一つに記載の方法をコンピュータに実行させるプログラムであるので、請求項１３〜２０のいずれか一つに記載の方法をコンピュータに実行させることができるという効果を奏する。
【発明を実施するための最良の形態】
【００５０】
以下に添付図面を参照して、この発明にかかる画像形成装置、操作パネル制御方法およびその方法をコンピュータに実行させるプログラムの最良な実施の形態を詳細に説明する。以下の実施の形態では、本発明の画像形成装置、操作パネル制御方法およびその方法をコンピュータに実行させるプログラムを、コピー、プリンタ、スキャナ、ファクシミリなどの機能を一つの筐体に統合した複合機、複合機におけるスキャン処理、スキャン処理プログラムに適用したものである。ただし、この他、画像形成処理を行う装置であれば、例えばコピー装置、ファクシミリ装置、スキャン装置などいすれの装置にも本発明を適用することができる。
【００５１】
（実施の形態１）
実施の形態１にかかる複合機は、拡張ボードが装着されているか否か、電子透かし機能ＯＮ／ＯＦＦパラメータの値によって、電子透かし機能に関するキー、ボタン等の項目の操作パネルへの表示を異なるように画面表示制御するものである。
【００５２】
図１は、本発明の実施の形態１にかかる複合機の構成を示すブロック図である。本実施の形態にかかる複合機１００は、図１に示すように、ハードウェアとして、操作パネル１５０と、ＣＰＵ１１、ＲＯＭ１１２、ＲＡＭ１１３等が搭載されたコントローラボード１１０と、ＲＯＭ１２１、ＲＡＭ１２２等が搭載された拡張ボード１２０と、スキャナエンジン１４０と、プロッタエンジン１４１と、通信インタフェース１４２と、ハードディスクドライブ装置（ＨＤＤ）１３０とを備えている。
【００５３】
操作パネル１５０は、利用者に入力画面を表示するとともに、表示された入力画面および操作キーから利用者の入力をおこなうものである。本実施の形態では、操作パネル１５０は、操作部と表示部から構成され、操作部にコピー、プリント、スキャナ、ファックスなどのキーが設けられて、利用者がこれらのいずれかのキーを押下することにより、キーイベントが操作パネル制御部１０５に通知され、押下した機能の画面が表示部に表示されるようになっている（図３、図４参照）。
【００５４】
操作パネル１５０の表示部は、タッチ式液晶画面であり、かかる表示部に表示されたボタン、タグなどを利用者がタッチすることによりそのイベントが操作パネル制御部１０５に通知され、イベントに応じた処理が実行されるようになっている。
【００５５】
コントローラボード１１０は、複合機１００の基本機能であるコピー、スキャナ、プリント、ファクシミリなどの機能を搭載したものである。具体的には、コピー、スキャナ、プリント、ファクシミリなどの画像形成プログラム、ＯＳ（Ｏｐｅｒａｔｉｎｇ  Ｓｙｓｔｅｍ）のプリグラム等がＲＯＭ１１２に組み込まれ、複合機１００の実行時にＲＯＭ１１２からこれらの組み込みプログラムが起動されるようになっている。
【００５６】
拡張ボード１２０は、複合機１００と着脱可能に構成されており、本実施の形態では、拡張機能として電子透かし処理を実現するものである。
【００５７】
スキャナエンジン１４０は、スキャナ動作を実行するエンジン部であり、プロッタエンジン１４１は印刷動作を行うエンジン部である。通信インタフェース１４２は、例えばネットワークボードなどの通信部である。ＨＤＤ１３０には、スキャン入力された画像の蓄積文書が格納されている。
【００５８】
また、本実施の形態にかかる複合機１００は、図１に示すように、ソフトウェアとして、スキャンアプリケーション１０１と、プリントアプリケーション１０２と、コピーアプリケーション１０３と、ファックスアプリケーション１０４と、操作パネル制御部１０５と、拡張ボード認識部１０６と、電子透かし処理部１０７と、制御部１０８とを備えている。
【００５９】
スキャンアプリケーション１０１は、スキャナエンジン１４０により指定されたスキャン条件でスキャンされた画像の入力処理を行うものである。
【００６０】
プリントアプリケーション１０２は、プロッタエンジン１４１に対して指定された印刷条件で印刷データを出力する処理を行うものである。
【００６１】
コピーアプリケーション１０３は、指定されたコピー条件によって、スキャナエンジン１４０によりスキャンされた画像をプロッタエンジン１４１に対して出力する処理を行うものである。
【００６２】
ファックスアプリケーション１０４は、スキャナエンジン１４０によりスキャンされた画像を指定された宛先に送信したり、ネットワーク経由で外部のコンピュータからファックス要求があったデータを指定された宛先に送信するものである。
【００６３】
拡張ボード認識部１０６は、着脱可能な拡張ボード１２０が複合機１００に装着されているか否かを、所定の関数などを発行する等の処理によって判断するものである。
【００６４】
操作パネル制御部１０５は、操作パネル１５０に表示する画面の生成や、操作パネル１５０から入力されたキーのイベント入力を受付ける等、操作パネル１５０に対する表示制御および入力制御を行うものである。本実施の形態の複合機１００では、電子透かし機能のプログラムが組み込まれた拡張ボードが装着されているか否か、および後述する電子透かし機能ＯＮ／ＯＦＦパラメータの値によって、電子透かし機能に関するキー、ボタン等の項目の操作パネルへの表示を異なるように画面表示制御している。
【００６５】
電子透かし処理部１０７は、入力された画像に対し透かし情報を埋め込んだり、透かし情報が埋め込まれた蓄積文書１３１を復元するものである。また、電子透かし処理部１０７は、電子透かし処理に関する設定処理もおこなう。
【００６６】
電子透かし処理部１０７は、拡張ボード１２０のＲＯＭ１２１に拡張機能として組み込まれた電子透かし処理プログラムが、複合機１００の起動時にＲＯＭ１２１から読み出されて起動されて実行されるようになっている。このため、拡張ボード１２０が装着されていない場合には、電子透かし処理部１０７は存在しない構成となる。
【００６７】
制御部１０８は、ＯＳ（Ｏｐｅｒａｔｉｎｇ  Ｓｙｓｔｅｍ）であり、複合機１００上で実行されるプログラムの実行制御を行うものである。
【００６８】
電子透かし処理部１０７以外のソフトウェアとしての各アプリケーションおよび各部のプログラムは、コントローラボード１１０のＲＯＭ１１２に組み込まれており、複合機１００の起動時にＲＯＭ１１２から読み出されて起動されるようになっている。
【００６９】
次に以上のように構成された本実施の形態にかかる複合機１００による操作パネルの画面制御処理について説明する。図２は、複合機において操作パネル１５０からスキャナボタンを選択した場合におけるスキャナ機能のメインメニュー画面を操作パネルに表示する際の画面表示制御処理の手順を示すフローチャートである。まず、拡張ボード認識部１０６は、複合機１００に拡張ボードが装着されているか否かを判断する（ステップＳ２０１）。電子透かし機能を搭載した拡張ボードが装着されているか否かは、例えばＯＳで提供されるシステムコールや関数などを発行してその戻り値により判断する。
【００７０】
そして、拡張ボード１２０が装着されていないと判断した場合には（ステップＳ２０１：Ｎｏ）、メインメニュー画面の電子透かし関連のボタン、キー等の項目の属性をＯＦＦにする（ステップＳ２０５）。なお、ボタン、キー等の項目の属性をＯＦＦにした場合、そのボタン、キー等の項目はメインメニュー画面に表示されない。
【００７１】
ステップＳ２０１において、拡張ボード１２０が装着されていると判断された場合には（ステップＳ２０１：Ｙｅｓ）、次に、操作パネル制御部１０５は、電子透かし機能ＯＮ／ＯＦＦパラメータがＯＮであるか否かを判断する（ステップＳ２０２）。この電子透かし機能ＯＮ／ＯＦＦパラメータは、本発明における拡張機能許可情報に相当するものであり、パラメータ値ＯＮは電子透かし機能を使用する旨を示し、パラメータ値ＯＦＦは電子透かし機能を使用しない旨を示す。この電子透かし機能ＯＮ／ＯＦＦパラメータは、後述する初期設定画面などで利用者が指定し、拡張ボード１２０のＲＡＭ１２２にそのパラメータ値が保存されている。
【００７２】
そして、電子透かし機能ＯＮ／ＯＦＦパラメータがＯＦＦである場合には（ステップＳ２０２：Ｎｏ）、メインメニュー画面の電子透かし関連のボタン、キー等の項目の属性をＯＦＦにする（ステップＳ２０５）。
【００７３】
一方、ステップＳ２０２において、電子透かし機能ＯＮ／ＯＦＦパラメータがＯＮである場合には（ステップＳ２０２：Ｙｅｓ）、メインメニュー画面の電子透かし関連のボタン、キー等の項目の属性をＯＮにする（ステップＳ２０５）。なお、ボタン、キー等の項目の属性をＯＮにした場合、そのボタン、キー等の項目はメインメニュー画面に表示されるようになっている。
【００７４】
そして、操作パネル制御部１０５は、電子透かし機能に関する項目の属性が定まったメインメニュー画面を操作パネル１５０の表示部に表示する（ステップＳ２０４）。
【００７５】
このような処理により、拡張ボード１２０が装着されており、電子透かし機能ＯＮ／ＯＦＦパラメータがＯＮである場合には、メインメニュー画面において電子透かし機能のボタン等の項目が表示されることになる。一方、拡張ボード１２０が未装着であり、あるいは装着されていても電子透かし機能ＯＮ／ＯＦＦパラメータがＯＦＦである場合には、メインメニュー画面において電子透かし機能のボタン等の項目は表示されない。
【００７６】
図３は、拡張ボードが装着され、かつ電子透かし機能ＯＮ／ＯＦＦパラメータがＯＮである場合のスキャナ機能のメインメニュー画面の表示例を示す模式図である。また、図４は、拡張ボードが未装着、または装着されていてかつ電子透かし機能ＯＮ／ＯＦＦパラメータがＯＦＦである場合のスキャナ機能のメインメニュー画面の表示例を示す模式図である。
【００７７】
拡張ボードが装着され、かつ電子透かし機能ＯＮ／ＯＦＦパラメータがＯＮである場合には、電子透かし設定ボタンの属性がＯＮに設定されるため、図３に示すように、スキャナボタンを押下して表示されるスキャナ機能のメインメニュー画面では、電子透かし設定ボタンが表示されている。一方、拡張ボードが未装着、または装着されていてかつ電子透かし機能ＯＮ／ＯＦＦパラメータがＯＦＦである場合には、電子透かし設定ボタンの属性がＯＦＦに設定されるため、図４に示すように、スキャナ機能のメインメニュー画面に電子透かし設定ボタンは表示されない。
【００７８】
図３または図４に示すメインメニュー画面において、配信設定ボタンをタッチすると、配信設定メニュー画面が操作パネルに表示される。この場合きも、図２で説明した画面表示制御処理が実行され、拡張ボードが装着されているか否か、電子透かし機能ＯＮ／ＯＦＦパラメータの値によって、電子透かし機能に関するキー、ボタン等の項目の表示が異なってくる。
【００７９】
図５は、拡張ボードが装着され、かつ電子透かし機能ＯＮ／ＯＦＦパラメータがＯＮである場合の配信設定メニュー画面の表示例を示す模式図である。また、図６は、拡張ボードが未装着、または装着されていてかつ電子透かし機能ＯＮ／ＯＦＦパラメータがＯＦＦである場合の配信設定メニュー画面の表示例を示す模式図である。
【００８０】
拡張ボードが装着され、かつ電子透かし機能ＯＮ／ＯＦＦパラメータがＯＮである場合には、電子透かし設定ボタンの属性がＯＮに設定されるため、図５に示すように、配信設定メニュー画面では、電子透かし設定ボタンが表示されている。一方、拡張ボードが未装着、または装着されていてかつ電子透かし機能ＯＮ／ＯＦＦパラメータがＯＦＦである場合には、電子透かし設定ボタンの属性がＯＦＦに設定されるため、図６に示すように、配信設定メニュー画面に電子透かし設定ボタンは表示されない。
【００８１】
次に、電子透かし機能ＯＮ／ＯＦＦパラメータの設定について説明する。図３または図５に示すメニュー画面において、電子透かし設定ボタンをタッチすると、電子透かし設定メニュー画面が操作パネルに表示される。図７は、電子透かし設定メニュー画面の表示例を示す模式図である。
【００８２】
この電子透かし設定メニュー画面には、電子透かし処理における鍵や強度などのパラメータを設定するサブメニューのボタンが表示されているが、っかる画面で電子透かし機能ＯＮ／ＯＦＦボタンをタッチすることにより、電子透かし機能ＯＮ／ＯＦＦ設定画面が表示される。
【００８３】
図８は、電子透かし機能ＯＮ／ＯＦＦ設定画面の表示例を示す模式図である。かかる画面は、電子透かし機能ＯＮ／ＯＦＦパラメータを設定するための入力画面である。電子透かし機能ＯＮ／ＯＦＦ設定画面に表示されたＯＮボタンをタッチすることにより電子透かし機能ＯＮ／ＯＦＦパラメータの値にＯＮが設定され、ＯＦＦボタンをタッチすることにより電子透かし機能ＯＮ／ＯＦＦパラメータの値にＯＦＦが設定されてＲＡＭ１２２に保存されるようになっている。
【００８４】
次に、初期設定メニュー画面の表示制御処理について説明する。システムメニュー（図示せず）において、初期設定ボタンをタッチすることにより、初期設定メニューが操作パネル１５０に表示される。図９は、初期設定メニューの表示例を示す模式図である。
【００８５】
図９に示すように、初期設定メニュー画面には、プリンタ、スキャナ、コピー、ファックスの各機能の初期設定のサブメニューを表示するボタンが表示されている。この画面で、スキャナ初期設定ボタンをタッチすると、スキャナ初期設定メニュー画面が操作パネル１５０に表示される。この場合にも、図２で説明した画面表示制御処理が実行され、拡張ボードが装着されているか否か、電子透かし機能ＯＮ／ＯＦＦパラメータの値によって、電子透かし機能に関するキー、ボタン等の項目の表示が異なってくる。
【００８６】
図１０は、拡張ボードが装着され、かつ電子透かし機能ＯＮ／ＯＦＦパラメータがＯＮである場合のスキャナ初期設定メニュー画面の表示例を示す模式図である。また、図１１は、拡張ボードが未装着、または装着されていてかつ電子透かし機能ＯＮ／ＯＦＦパラメータがＯＦＦである場合のスキャナ初期設定メニュー画面の表示例を示す模式図である。
【００８７】
拡張ボードが装着され、かつ電子透かし機能ＯＮ／ＯＦＦパラメータがＯＮである場合には、電子透かし設定タグの属性がＯＮに設定されるため、図１０に示すように、スキャナ初期設定メニュー画面では、電子透かし設定タグとその中のボタンが表示されている。一方、拡張ボードが未装着、または装着されていてかつ電子透かし機能ＯＮ／ＯＦＦパラメータがＯＦＦである場合には、電子透かし設定タグの属性がＯＦＦに設定されるため、図１１に示すように、スキャナ初期設定メニュー画面に電子透かし設定タグは表示されない。
【００８８】
このように実施の形態１にかかる複合機１００では、拡張ボードが装着されているか否か、電子透かし機能ＯＮ／ＯＦＦパラメータの値によって、電子透かし機能に関するキー、ボタン等の項目の操作パネルへの表示を異なるように画面表示制御を行っているので、利用者の電子透かしの利用時の操作性の向上を図ることができる。
【００８９】
（実施の形態２）
実施の形態１にかかる複合機１００は、拡張ボードが装着されているか否か、電子透かし機能ＯＮ／ＯＦＦパラメータの値によって、電子透かし機能に関するキー、ボタン等の項目の表示を異なるように画面表示制御を行っていたが、この実施の形態２にかかる複合機は、さらに、配信先ごと、蓄積文書ごとに電子透かし機能ＯＮ／ＯＦＦパラメータを設定し、配信先ごとおよび蓄積文書ごとに電子透かし機能に関するキー、ボタン等の項目の表示を異なるように画面表示制御を行うものである。
【００９０】
図１２は、実施の形態２にかかる複合機１２００の構成を示すブロック図である。本実施の形態にかかる複合機１２００は、図１２に示すように、ハードウェアとして、操作パネル１５０と、ＣＰＵ１１、ＲＯＭ１１２、ＲＡＭ１１３等が搭載されたコントローラボード１１０と、ＲＯＭ１２１、ＲＡＭ１２２等が搭載された拡張ボード１２０と、スキャナエンジン１４０と、プロッタエンジン１４１と、通信インタフェース１４２と、ハードディスクドライブ装置（ＨＤＤ）１２３０とを備えている。
【００９１】
ＨＤＤ１２３０には、スキャン入力された画像の蓄積文書１３１の他、スキャナ配信先リスト１２３１と、スキャナ蓄積文書リスト１２３２とが格納されている。その他のハードウェアの構成および機能は実施の形態１の複合機１００と同様である。
【００９２】
また、本実施の形態にかかる複合機１２００は、図１２に示すように、ソフトウェアとして、スキャンアプリケーション１０１と、プリントアプリケーション１０２と、コピーアプリケーション１０３と、ファックスアプリケーション１０４と、操作パネル制御部１２０５と、拡張ボード認識部１０６と、電子透かし処理部１０７と、制御部１０８とを備えている。
【００９３】
操作パネル制御部１２０５は、操作パネル１５０に表示する画面の生成や、操作パネル１５０から入力されたキーのイベント入力を受付ける等、操作パネル１５０に対する表示制御および入力制御を行うものである。本実施の形態の複合機１２００では、操作パネル制御部１２０５は、電子透かし機能のプログラムが組み込まれた拡張ボードが装着されているか否か、および後述する電子透かし機能ＯＮ／ＯＦＦパラメータの値によって、電子透かし機能に関するキー、ボタン等の項目の操作パネルへの表示を異なるように画面表示制御する他、さらに、配信先ごと、蓄積文書ごとに電子透かし機能ＯＮ／ＯＦＦパラメータを設定し、配信先ごとおよび蓄積文書ごとに電子透かし機能に関するキー、ボタン等の項目の表示を異なるように画面表示制御を行う。その他のソフトウェアの構成および機能は実施の形態１の複合機１００と同様である。
【００９４】
次に、ＨＤＤ１２３０に格納されているスキャナ配信先リスト１２３１について説明する。スキャナ配信先リスト１２３１は、スキャン入力された画像を配信する際の配信先と各種情報および電子透かしに関するデータを示すデータである。図１３は、スキャナ配信先リスト１２３１の一例を示す説明図である。図１３に示すように、スキャナ配信先リスト１２３１は、配信先の宛名ごとに、メールアドレスと電子透かし機能ＯＮ／ＯＦＦパラメータと電子透かしパラメータとを対応付けられている。
【００９５】
電子透かし機能ＯＮ／ＯＦＦパラメータは、実施の形態１における電子透かし機能ＯＮ／ＯＦＦパラメータと同様に、電子透かし機能を使用するか否かを示すものである（ＯＮ：使用、ＯＦＦ：不使用）。
【００９６】
電子透かしパラメータ１、電子透かしパラメータ２は、電子透かし処理部１０７による透かし情報の画像への埋め込みや復元の処理の際に使用されるパラメータである。
【００９７】
このように、配信先の宛先ごとに電子透かし機能ＯＮ／ＯＦＦパラメータを定めているので、スキャン画像の配信先ごとに電子透かしを埋め込むか否かを決定することができるようになっている。
【００９８】
次に、ＨＤＤ１２３０に格納されているスキャナ蓄積文書リスト１２３２について説明する。スキャナ蓄積文書リスト１２３２は、スキャン入力された画像を保存した蓄積文書１３１の一覧を示すデータである。図１４は、スキャナ蓄積文書リスト１２３２の一例を示す説明図である。図１４に示すように、スキャナ蓄積文書リスト１２３２は、ユーザ名と蓄積文書の文書名と電子透かし機能ＯＮ／ＯＦＦパラメータと電子透かしパラメータとを対応付けられている。
【００９９】
ユーザ名は、蓄積文書１３１の所有者または作成者のユーザ名である。電子透かし機能ＯＮ／ＯＦＦパラメータは、電子透かし機能を使用するか否かを示すものである（ＯＮ：使用、ＯＦＦ：不使用）。
【０１００】
電子透かしパラメータ１、電子透かしパラメータ２は、電子透かし処理部１０７による透かし情報の画像への埋め込みや復元の処理の際に使用されるパラメータである。
【０１０１】
このように、文書名ごとに電子透かし機能ＯＮ／ＯＦＦパラメータを定めているので、スキャン画像の蓄積文書ごとに電子透かしを埋め込むか否かを決定することができるようになっている。
【０１０２】
次に以上のように構成された本実施の形態にかかる複合機１２００による操作パネルの画面制御処理について説明する。本実施の形態の複合機１２００では、実施の形態１と同様にメインメニュー画面、初期設定画面の表示において、拡張ボード１２０が装着されているか否か、電子透かし機能ＯＮ／ＯＦＦパラメータの値によって、電子透かし機能に関するキー、ボタン等の項目の表示を異なって表示される。
【０１０３】
この他、本実施の形態では、次のような画面表示制御が行われる。図５に示す配信設定メニューにおいて、配信先設定ボタンをタッチした場合には、配信先設定画面が表示される。
【０１０４】
図１５は、複合機１２００にの操作パネル１５０に表示された配信先設定画面から配信先を指定した場合における配信先画面の表示制御処理の手順を示すフローチャートである。
【０１０５】
配信先設定画面は、複数の配信先の中ならスキャン入力した画像を配信する配信先を選択する画面である。図１６−１は、配信先設定画面の表示例を示す模式図である。図１６−１に示すように、配信先設定画面では、複数の配信先ボタンが表示され、利用者がタッチ入力により選択した配信先の宛名が表示欄１６０１に表示される。
【０１０６】
配信先設定画面において、任意の配信先ボタンがタッチされた場合には、操作パネル制御部１２０５は、スキャナ配信先リスト１２３１を参照して、タッチ操作により選択された配信先の宛名の電子透かし機能ＯＮ／ＯＦＦパラメータがＯＮであるか否かを判断する（ステップＳ１５０１）。
【０１０７】
そして、電子透かし機能ＯＮ／ＯＦＦパラメータがＯＦＦである場合には（ステップＳ１５０１：Ｎｏ）、配信先画面の電子透かし関連のボタン、キー等の項目の属性をＯＦＦにする（ステップＳ１５０４）。
【０１０８】
一方、ステップＳ１５０１において、電子透かし機能ＯＮ／ＯＦＦパラメータがＯＮである場合には（ステップＳ１５０１：Ｙｅｓ）、配信先画面の電子透かし関連のボタン、キー等の項目の属性をＯＮにする（ステップＳ１５０２）。
【０１０９】
次に、操作パネル制御部１２０５は、電子透かし機能に関する項目の属性が定まった配信先画面を操作パネル１５０の表示部に表示する（ステップＳ１５０３）。
【０１１０】
このような処理により、電子透かし機能ＯＮ／ＯＦＦパラメータがＯＮである場合には、配信先画面において電子透かし機能のボタン等の項目が表示されることになる。一方、電子透かし機能ＯＮ／ＯＦＦパラメータがＯＦＦである場合には、配信先画面において電子透かし機能のボタン等の項目は表示されない。
【０１１１】
図１６−２は、電子透かし機能ＯＮ／ＯＦＦパラメータがＯＮである場合の配信先画面の表示例を示す模式図である。また、図１６−３は、電子透かし機能ＯＮ／ＯＦＦパラメータがＯＦＦである場合の配信先画面の表示例を示す模式図である。
【０１１２】
電子透かし機能ＯＮ／ＯＦＦパラメータがＯＮである場合には、電子透かし設定ボタンの属性がＯＮに設定されるため、図１６−２に示すように、配信先画面では、電子透かし設定ボタンが表示されている。一方、電子透かし機能ＯＮ／ＯＦＦパラメータがＯＦＦである場合には、電子透かし設定ボタンの属性がＯＦＦに設定されるため、図１６−３に示すように、配信先画面に電子透かし設定ボタンは表示されない。
【０１１３】
また、本実施の形態にかかる複合機１２００では、図５に示す配信設定メニューにおいて、蓄積文書選択ボタンをタッチした場合には、蓄積文書指定画面が表示される。
【０１１４】
図１７は、複合機１２００の操作パネル１５０に表示された蓄積文書指定画面から蓄積文書を指定した場合における蓄積文書画面の表示制御処理の手順を示すフローチャートである。
【０１１５】
蓄積文書指定画面は、ＨＤＤ１２３０に保存されているスキャン入力された複数の蓄積文書１３１の中なら配信する蓄積文書を選択する画面である。図１８−１は、蓄積文書指定画面の表示例を示す模式図である。図１８−１に示すように、蓄積文書指定画面では、リスト欄１８０１にＨＤＤ１２３０に保存されている蓄積文書１３１の一覧が表示される。このリスト欄１８０１で、利用者が蓄積文書１３１をタッチ入力により選択し、ＯＫボタン１８０２をタッチ入力すると、そのイベントを通知された操作パネル制御部１２０５は、スキャナ蓄積文書リスト１２３２を参照して、タッチ操作により選択された蓄積文書のユーザ名と文書名の電子透かし機能ＯＮ／ＯＦＦパラメータがＯＮであるか否かを判断する（ステップＳ１７０１）。
【０１１６】
そして、電子透かし機能ＯＮ／ＯＦＦパラメータがＯＦＦである場合には（ステップＳ１７０１：Ｎｏ）、蓄積文書画面の電子透かし関連のボタン、キー等の項目の属性をＯＦＦにする（ステップＳ１７０４）。
【０１１７】
一方、ステップＳ１７０１において、電子透かし機能ＯＮ／ＯＦＦパラメータがＯＮである場合には（ステップＳ１７０１：Ｙｅｓ）、蓄積文書画面の電子透かし関連のボタン、キー等の項目の属性をＯＮにする（ステップＳ１７０２）。
【０１１８】
次に、操作パネル制御部１２０５は、電子透かし機能に関する項目の属性が定まった蓄積文書画面を操作パネル１５０の表示部に表示する（ステップＳ１７０３）。
【０１１９】
このような処理により、電子透かし機能ＯＮ／ＯＦＦパラメータがＯＮである場合には、蓄積文書画面において電子透かし機能のボタン等の項目が表示されることになる。一方、電子透かし機能ＯＮ／ＯＦＦパラメータがＯＦＦである場合には、蓄積文書画面において電子透かし機能のボタン等の項目は表示されない。
【０１２０】
図１８−２は、電子透かし機能ＯＮ／ＯＦＦパラメータがＯＮである場合の蓄積文書画面の表示例を示す模式図である。また、図１８−３は、電子透かし機能ＯＮ／ＯＦＦパラメータがＯＦＦである場合の蓄積文書画面の表示例を示す模式図である。
【０１２１】
ユーザ名および文書名で指定された蓄積文書の電子透かし機能ＯＮ／ＯＦＦパラメータがＯＮである場合には、電子透かし設定ボタンの属性がＯＮに設定されるため、図１８−２に示すように、蓄積文書画面では、電子透かし設定ボタンが表示されている。一方、電子透かし機能ＯＮ／ＯＦＦパラメータがＯＦＦである場合には、電子透かし設定ボタンの属性がＯＦＦに設定されるため、図１８−３に示すように、蓄積文書画面に電子透かし設定ボタンは表示されない。
【０１２２】
このように実施の形態２にかかる複合機１２００では、利用者に配信先を指定させる配信設定画面を操作パネル１５０に表示し、配信設定画面から指定された配信先に対応するスキャナ配信先リスト１２３１の電子透かし機能ＯＮ／ＯＦＦパラメータにＯＮが設定されている場合に、電子透かし機能設定に関するボタンを操作パネルに出力しているので、スキャン入力画像の配信先ごとに電子透かし機能を使用するか否かを決定することができ、電子透かし機能に多様性を持たせることができる。
【０１２３】
また、実施の形態２にかかる複合機１２００では、ＨＤＤ１２３０に記憶された蓄積文書を指定させる蓄積文書指定画面を操作パネルに表示し、蓄積文書指定画面から指定された蓄積文書に対応するスキャナ蓄積文書リストの電子透かし機能ＯＮ／ＯＦＦパラメータにＯＮが設定されている場合に、電子透かし機能設定に関するボタンを操作パネルに出力しているので、蓄積文書ごとに電子透かし機能を使用するか否かを決定することができ、電子透かし機能に多様性を持たせることができる。
【０１２４】
（実施の形態３）
実施の形態２にかかる複合機１００は、配信先ごと、蓄積文書ごとに電子透かし機能ＯＮ／ＯＦＦパラメータを設定し、配信先ごとおよび蓄積文書ごとに電子透かし機能に関するキー、ボタン等の項目の表示を異なるように画面表示制御を行っていたが、本実施の形態の複合機は、さらに複合機を利用するユーザごとに電子透かし機能に関するキー、ボタン等の項目の表示を異なるように画面表示制御を行うものである。
【０１２５】
図１９は、実施の形態３にかかる複合機１９００の構成を示すブロック図である。本実施の形態にかかる複合機１９００は、図１９に示すように、ハードウェアとして、操作パネル１５０と、ＣＰＵ１１、ＲＯＭ１１２、ＲＡＭ１１３等が搭載されたコントローラボード１１０と、ＲＯＭ１２１、ＲＡＭ１２２等が搭載された拡張ボード１２０と、スキャナエンジン１４０と、プロッタエンジン１４１と、通信インタフェース１４２と、ハードディスクドライブ装置（ＨＤＤ）１９３０とを備えている。
【０１２６】
ＨＤＤ１９３０には、スキャン入力された画像の蓄積文書１３１、実施の形態２で説明したスキャナ配信先リスト１２３１、スキャナ蓄積文書リスト１２３２の他、ユーザデータベース（ユーザＤＢ）１９３１が格納されている。その他のハードウェアの構成および機能は実施の形態１の複合機１００と同様である。
【０１２７】
また、本実施の形態にかかる複合機１９００は、図１９に示すように、ソフトウェアとして、スキャンアプリケーション１０１と、プリントアプリケーション１０２と、コピーアプリケーション１０３と、ファックスアプリケーション１０４と、操作パネル制御部１９０５と、拡張ボード認識部１０６と、電子透かし処理部１０７と、制御部１０８とを備えている。
【０１２８】
操作パネル制御部１９０５は、操作パネル１５０に表示する画面の生成や、操作パネル１５０から入力されたキーのイベント入力を受付ける等、操作パネル１５０に対する表示制御および入力制御を行うものである。本実施の形態の複合機１９００では、操作パネル制御部１９０５は、電子透かし機能のプログラムが組み込まれた拡張ボードが装着されているか否か、および後述する電子透かし機能ＯＮ／ＯＦＦパラメータの値によって、電子透かし機能に関するキー、ボタン等の項目の操作パネルへの表示を異なるように画面表示制御する。
【０１２９】
また、操作パネル制御部１９０５は、配信先ごと、蓄積文書ごとに電子透かし機能ＯＮ／ＯＦＦパラメータを設定し、配信先ごとおよび蓄積文書ごとに電子透かし機能に関するキー、ボタン等の項目の表示を異なるように画面表示制御を行う。
【０１３０】
さらに、操作パネル制御部１９０５は、複合機を利用するユーザごとに電子透かし機能ＯＮ／ＯＦＦパラメータを設定し、ユーザごとに電子透かし機能に関するキー、ボタン等の項目の表示を異なるように画面表示制御を行う。その他のソフトウェアの構成および機能は実施の形態１の複合機１００と同様である。
【０１３１】
次に、ＨＤＤ１９３０に格納されているユーザＤＢ１９３１について説明する。ユーザＤＢ１９３１は、複合機１９００を利用するユーザを登録したデータベースである。図２０は、ユーザＤＢ１９３１の一例を示す説明図である。図２０に示すように、ユーザＤＢ１９３１は、ユーザごとにユーザ名、パスワード（暗号化して登録）、権限および氏名が登録されている。
【０１３２】
権限は、ユーザの複合機１９００の利用権限を示すものであり、「高」、「中」、「低」の順に利用権限が弱くなっている。
【０１３３】
本実施の形態では、このようにユーザごとに権限を定め、操作パネル制御部１９０５がこの権限によって電子透かし処理の際の表示画面の態様を異なるように画面表示制御を行っている。
【０１３４】
次に以上のように構成された本実施の形態にかかる複合機１９００による操作パネルの画面制御処理について説明する。本実施の形態の複合機１９００では、実施の形態１と同様にメインメニュー画面、初期設定画面の表示において、拡張ボード１２０が装着されているか否か、電子透かし機能ＯＮ／ＯＦＦパラメータの値によって、電子透かし機能に関するキー、ボタン等の項目が異なる態様で表示されるように制御される。
【０１３５】
また、本実施の形態の複合機１９００では、実施の形態２と同様に、配信先画面および蓄積文書画面において、スキャナ配布先リスト１２３１およびスキャナ蓄積文書リスト１２３２の電子透かし機能ＯＮ／ＯＦＦパラメータの値によって、配布先ごとおよび蓄積文書ごとに電子透かし機能に関するキー、ボタン等の項目が異なる態様で表示されるように制御される。
【０１３６】
この他、本実施の形態では、次のような画面表示制御が行われる。図７に示す電子透かし設定メニューにおいて、埋め込み情報設定ボタンをタッチした場合には、埋め込み情報設定画面が表示される。
【０１３７】
図２１は、複合機１２００にの操作パネル１５０に表示された電子透かし設定メニューから埋め込み情報設定ボタンがタッチ入力された場合における埋め込み情報設定の表示制御処理の手順を示すフローチャートである。
【０１３８】
電子透かし設定メニューにおいて、埋め込み情報設定ボタンがタッチ入力された場合には、操作パネル制御部１９０５は、ユーザＤＢ１９３１を参照して、操作しているユーザのユーザ名の権限が「高」であるか否かを判断するる（ステップＳ２１０１）。
【０１３９】
そして、権限が「高」である場合には（ステップＳ２１０１：Ｙｅｓ）、操作パネル制御部１９０５は、埋め込み情報設定画面のスキャナＩＤフィールドの表示属性をＯＮにして、かつ入力属性をＯＦＦにする（ステップＳ２１０２）。次いで、操作パネル制御部１９０５は、埋め込み情報設定画面の任意文字列フィールドの表示属性をＯＮにして、かつ入力属性をＯＮにする（ステップＳ２１０３）。
【０１４０】
ここで、画面上のフィールドの表示属性をＯＮに設定すると、操作パネル制御部１９０５によって画面にそのフィールドが表示され、表示属性をＯＦＦに設定すると、操作パネル制御部１９０５によって画面にそのフィールドが表示されないようになっている。
【０１４１】
また、画面上のフィールドの入力属性をＯＮに設定すると、操作パネル制御部１９０５によって画面に表示されるフィールドへの入力が可能となり、、入力属性をＯＦＦに設定すると、操作パネル制御部１９０５によって画面に表示されたそのフィールドへの入力が不可能になる。
【０１４２】
一方、ステップＳ２１０１において、権限が「高」でない場合、すなわち権限が「中」または「低」である場合には（ステップＳ２１０１：Ｎｏ）、埋め込み情報設定画面のスキャナＩＤフィールドの表示属性をＯＦＦにする（ステップＳ２１０５）。次いで、操作パネル制御部１９０５は、埋め込み情報設定画面の任意文字列フィールドの表示属性をＯＮにして、かつ入力属性をＯＦＦにする（ステップＳ２１０６）。
【０１４３】
次に、操作パネル制御部１２０５は、フィールド属性が定まった埋め込み情報設定画面を操作パネル１５０の表示部に表示する（ステップＳ２１０４）。
【０１４４】
図２２−１は、ユーザの権限が「高」である場合の埋め込み情報設定画面の表示例を示す模式図である。図２２ー１に示すように、ユーザの権限が「高」の場合には、埋め込み情報設定画面上でスキャナＩＤフィールドは入力不可能な状態で表示される。また、任意文字列フィールドは参照可能かつ入力可能な状態で表示される。このため、ユーザは、画像にスキャナＩＤフィールドに埋め込まれている値を認識することができるが、この埋め込まれている値を変更することはできないことになる。また、ユーザは、画像に埋め込まれている任意文字列フィールドの文字列を把握することができ、かつこの埋め込まれている文字列を文字列フィールド上で変更することができる。
【０１４５】
図２２−２は、ユーザの権限が「中」または「低」である場合の埋め込み情報設定画面の表示例を示す模式図である。図２２−２に示すように、権限が「中」または「低」である場合には、埋め込み情報設定画面上でスキャナＩＤフィールドは表示されない。このため、ユーザは、スキャナＩＤが画像に埋め込まれていることを認識することができない。また、任意文字列フィールドは入力不可能な状態で表示される。このため、ユーザは、画像に任意文字列フィールドに表示された文字列が埋め込まれていることを認識することができるが、この文字列を変更することはできないことになる。また、ユーザは、画像に埋め込まれている任意文字列フィールドの文字列を把握することはでき、かつこの埋め込まれている文字列を文字列フィールド上で変更することができる。
【０１４６】
なお、本実施の形態の複合機１９００では、操作パネル制御部１９０５によって、ユーザの権限が「高」の場合に、埋め込み情報設定画面上でスキャナＩＤフィールドの値を入力不可能な状態で表示しているが、スキャナＩＤフィールドを参照不可能な状態かつ入力不可能な状態で表示するように構成してもよい。図２３は、スキャナＩＤフィールドを参照不可能な状態かつ入力不可能な状態で表示した埋め込み情報設定画面の表示例を示す模式図である。図２３に示すように、スキャナＩＤフィールドの値は「＊＊＊＊＊」によって参照不可能となっているが、スキャナＩＤフィールドの値が存在することにより、ユーザは何らかの値が画像に埋め込まれていることを把握することが可能となる。
【０１４７】
このように実施の形態３にかかる複合機１９００では、利用者に電子透かし機能に関する画面を操作パネルに表示する際に、電子透かし機能に関する項目を、利用者の権限によって、異なる表示態様、参照可能または不可能に、入力可能な形式または不可能な形式で操作パネルに出力しているので、電子透かし機能に多様性を持たせることができる。
【０１４８】
以上、実施の形態１〜３では、拡張機能として電子透かし機能を例にあげたが、これに限定されるものではなく他のセキュリティ機能、あるいはセキュリティ機能以外の拡張機能の画面制御に本発明を適用することも可能である。
【０１４９】
また、実施の形態１〜３では、主として電子透かし機能設定画面の表示制御を例にあげて説明したが、電子透かし機能に関する他の画面についても本発明を適用することができる。
【産業上の利用可能性】
【０１５０】
以上のように、本発明にかかる画像形成装置、操作パネル制御方法およびその方法をコンピュータに実行させるプログラムは、プリンタ、コピー、ファクシミリ、スキャナなどの各装置の機能を１つの筐体内に収納した複合機若しくはプリンタ装置、コピー装置、ファクシミリ装置、スキャナ装置等画像形成処理を行う装置に適している。
【図面の簡単な説明】
【０１５１】
【図１】本発明の実施の形態１にかかる複合機の構成を示すブロック図である。
【図２】複合機において操作パネル１５０からスキャナボタンを選択した場合におけるスキャナ機能のメインメニュー画面を操作パネルに表示する際の画面表示制御処理の手順を示すフローチャートである。
【図３】拡張ボードが装着され、かつ電子透かし機能ＯＮ／ＯＦＦパラメータがＯＮである場合のスキャナ機能のメインメニュー画面の表示例を示す模式図である。
【図４】拡張ボードが未装着、または装着されていてかつ電子透かし機能ＯＮ／ＯＦＦパラメータがＯＦＦである場合のスキャナ機能のメインメニュー画面の表示例を示す模式図である。
【図５】拡張ボードが装着され、かつ電子透かし機能ＯＮ／ＯＦＦパラメータがＯＮである場合の配信設定メニュー画面の表示例を示す模式図である。
【図６】拡張ボードが未装着、または装着されていてかつ電子透かし機能ＯＮ／ＯＦＦパラメータがＯＦＦである場合の配信設定メニュー画面の表示例を示す模式図である。
【図７】電子透かし設定メニュー画面の表示例を示す模式図である。
【図８】電子透かし機能ＯＮ／ＯＦＦ設定画面の表示例を示す模式図である。
【図９】初期設定メニューの表示例を示す模式図である。
【図１０】拡張ボードが装着され、かつ電子透かし機能ＯＮ／ＯＦＦパラメータがＯＮである場合のスキャナ初期設定メニュー画面の表示例を示す模式図である。
【図１１】拡張ボードが未装着、または装着されていてかつ電子透かし機能ＯＮ／ＯＦＦパラメータがＯＦＦである場合のスキャナ初期設定メニュー画面の表示例を示す模式図である。
【図１２】実施の形態２にかかる複合機１２００の構成を示すブロック図である。
【図１３】スキャナ配信先リスト１２３１の一例を示す説明図である。
【図１４】スキャナ蓄積文書リスト１２３２の一例を示す説明図である。
【図１５】複合機１２００にの操作パネル１５０に表示された配信先設定画面から配信先を指定した場合における配信先画面の表示制御処理の手順を示すフローチャートである。
【図１６−１】配信先設定画面の表示例を示す模式図である。
【図１６−２】電子透かし機能ＯＮ／ＯＦＦパラメータがＯＮである場合の配信先画面の表示例を示す模式図である。
【図１６−３】電子透かし機能ＯＮ／ＯＦＦパラメータがＯＦＦである場合の配信先画面の表示例を示す模式図である。
【図１７】複合機１２００の操作パネル１５０に表示された蓄積文書指定画面から蓄積文書を指定した場合における蓄積文書画面の表示制御処理の手順を示すフローチャートである。
【図１８−１】蓄積文書指定画面の表示例を示す模式図である。
【図１８−２】電子透かし機能ＯＮ／ＯＦＦパラメータがＯＮである場合の蓄積文書画面の表示例を示す模式図である。
【図１８−３】電子透かし機能ＯＮ／ＯＦＦパラメータがＯＦＦである場合の蓄積文書画面の表示例を示す模式図である。
【図１９】実施の形態３にかかる複合機１９００の構成を示すブロック図である。
【図２０】ユーザＤＢ１９３１の一例を示す説明図である。
【図２１】複合機１２００にの操作パネル１５０に表示された電子透かし設定メニューから埋め込み情報設定ボタンがタッチ入力された場合における埋め込み情報設定の表示制御処理の手順を示すフローチャートである。
【図２２−１】ユーザの権限が「高」である場合の埋め込み情報設定画面の表示例を示す模式図である。
【図２２−２】ユーザの権限が「中」または「低」である場合の埋め込み情報設定画面の表示例を示す模式図である。
【図２３】スキャナＩＤフィールドを参照不可能な状態かつ入力不可能な状態で表示した埋め込み情報設定画面の表示例を示す模式図である。
【符号の説明】
【０１５２】
１００  複合機
１０１  スキャンアプリケーション
１０２  プリントアプリケーション
１０３  コピーアプリケーション
１０４  ファックスアプリケーション
１０５，１２０５，１９０５  操作パネル制御部
１０６  拡張ボード認識部
１０７  電子透かし処理部
１０８  制御部
１１１  ＣＰＵ
１１２，１２１  ＲＯＭ
１１３，１２２  ＲＡＭ
１１０  コントローラボード
１２０  拡張ボード
１３０，１２３０，１９３０  ＨＤＤ
１３１  蓄積文書
１４０  スキャナエンジン
１４１  プロッタエンジン
１４２  通信インタフェース
１５０  操作パネル
１２３１  スキャナ配信先リスト
１２３２  スキャナ蓄積文書リスト
１９３１  ユーザＤＢ
【図１】
2006014082.tif 000003
【図２】
2006014082.tif 000004
【図３】
2006014082.tif 000005
【図４】
2006014082.tif 000006
【図５】
2006014082.tif 000007
【図６】
2006014082.tif 000008
【図７】
2006014082.tif 000009
【図８】
2006014082.tif 000010
【図９】
2006014082.tif 000011
【図１０】
2006014082.tif 000012
【図１１】
2006014082.tif 000013
【図１２】
2006014082.tif 000014
【図１３】
2006014082.tif 000015
【図１４】
2006014082.tif 000016
【図１５】
2006014082.tif 000017
【図１６−１】
2006014082.tif 000018
【図１６−２】
2006014082.tif 000019
【図１６−３】
2006014082.tif 000020
【図１７】
2006014082.tif 000021
【図１８−１】
2006014082.tif 000022
【図１８−２】
2006014082.tif 000023
【図１８−３】
2006014082.tif 000024
【図１９】
2006014082.tif 000025
【図２０】
2006014082.tif 000026
【図２１】
2006014082.tif 000027
【図２２−１】
2006014082.tif 000028
【図２２−２】
2006014082.tif 000029
【図２３】
2006014082.tif 000030